(57)【要約】第１の面と第２の面（１３０）とを有し、第１の面と第２の面（１３０）とを貫通する孔（１２０）が形成され、第１の素材と、遠赤外線を放射する第１のセラミックスにより成型されているシート状の省エネルギー部材（１００）が、空気調和設備（２００）の吸気口（２１０）の外部側に取り付けられる。第１のセラミックスは、ＳｉＯ２と、Ｆｅ２Ｏ３と、Ａｌ２Ｏ３と、ＭｇＯと、ＣａＯと、を含有する。これにより、内部が汚れなどで空気の通りが悪くなることによって、空気調和設備（２００）の消費電力が大きくなることを抑制できる。
2018105130.tif 000002
【特許請求の範囲】
【請求項１】
第１の面と第２の面とを有するシート状の省エネルギー部材であって、
前記第１の面と前記第２の面とを貫通する孔が形成され、
第１の素材と、遠赤外線を放射する第１のセラミックスにより成型され、
前記第１のセラミックスは、ＳｉＯ２と、Ｆｅ２Ｏ３と、Ａｌ２Ｏ３と、ＭｇＯと、ＣａＯと、を含有する、
省エネルギー部材。
【請求項２】
請求項１に記載の省エネルギー部材において、
前記第１のセラミックスは、
４２重量％〜４５重量％の含有量のＳｉＯ２と、
８．０重量％〜８．５重量％の含有量のＦｅ２Ｏ３と、
０．９２重量％〜０．９８重量％の含有量のＡｌ２Ｏ３と、
４２重量％〜４４重量％の含有量のＭｇＯと、
１．０重量％〜１．１重量％の含有量のＣａＯと、を含有する、
省エネルギー部材。
【請求項３】
請求項１に記載の省エネルギー部材において、
前記第１の素材と、前記第１のセラミックスと、第２のセラミックスにより成型され、
前記第２のセラミックスは、エルバイトトルマリンを含有する、省エネルギー部材。
【請求項４】
請求項３に記載の省エネルギー部材において、
前記第２のセラミックスは、下記一般式（化１）で表されるエルバイトトルマリンを含有する、省エネルギー部材。
Ｎａ（Ｌｉ，Ａｌ）３Ａｌ６（ＢＯ３）３Ｓｉ６Ｏ１８（ＯＨ）４・・・（化１）
【請求項５】
請求項３に記載の省エネルギー部材において、
前記第１のセラミックスの重量％の含有量に対する、前記第２のセラミックスの重量％の含有量の比が、０．０６９〜０．０７４である、省エネルギー部材。
【請求項６】
第１の面と第２の面とを有するシート状の省エネルギー部材を用いた省エネルギー方法であって、
前記省エネルギー部材は、
前記第１の面と前記第２の面とを貫通する孔が形成され、
第１の素材と、遠赤外線を放射する第１のセラミックスにより成型され、
空気調和設備の吸気口の外部側に取り付けられ、
前記第１のセラミックスは、ＳｉＯ２と、Ｆｅ２Ｏ３と、Ａｌ２Ｏ３と、ＭｇＯと、ＣａＯと、を含有する、
省エネルギー方法。
【請求項７】
請求項６に記載の省エネルギー方法において、
前記第１のセラミックスは、
４２重量％〜４５重量％の含有量のＳｉＯ２と、
８．０重量％〜８．５重量％の含有量のＦｅ２Ｏ３と、
０．９２重量％〜０．９８重量％の含有量のＡｌ２Ｏ３と、
４２重量％〜４４重量％の含有量のＭｇＯと、
１．０重量％〜１．１重量％の含有量のＣａＯと、を含有する、
省エネルギー方法。
【請求項８】
請求項６に記載の省エネルギー方法において、
前記第１の素材と、前記第１のセラミックスと、第２のセラミックスにより成型され、
前記第２のセラミックスは、エルバイトトルマリンを含有する、省エネルギー方法。
【請求項９】
請求項８に記載の省エネルギー方法において、
前記第２のセラミックスは、下記一般式（化１）で表されるエルバイトトルマリンを含有する、省エネルギー方法。
Ｎａ（Ｌｉ，Ａｌ）３Ａｌ６（ＢＯ３）３Ｓｉ６Ｏ１８（ＯＨ）４・・・（化１）
【請求項１０】
請求項８に記載の省エネルギー方法において、
前記第１のセラミックスの重量％の含有量に対する、前記第２のセラミックスの重量％の含有量の比が、０．０６９〜０．０７４である、省エネルギー方法。
【請求項１１】
請求項６に記載の省エネルギー方法において、
前記省エネルギー部材が空気調和設備の吸気口カバーと吸気口との間に取り付けられる、
省エネルギー方法。
【請求項１２】
請求項６に記載の省エネルギー方法において、
前記省エネルギー部材が空気調和設備のフィルターと吸気口との間に取り付けられる、省エネルギー方法。
【発明の詳細な説明】
【技術分野】
【０００１】
本発明は、省エネルギー部材および省エネルギー方法に関する。
【背景技術】
【０００２】
建物内部や、生成食品売り場の陳列棚の空気の温度を調整する空気調和設備が知られている。【０００３】
このような空気調和設備は、オプションで省エネルギーを達成することができる部品が用意されていたり、設備導入後に新たにオプション部品が用意されたりすることがある。例えば、オプション部品として、空気調和設備の室外機の熱交換器に水を噴霧して熱交換器の熱交換効率を改善する水噴霧式省エネ部品がある。また、空気調和設備の室外機の排気吹出方向を変えて熱交換器の熱交換効率を改善する風向調整部品がある。さらに、空気調和設備の室外機の運転を間欠運転させる省エネルギー制御を行う省エネ制御部品がある。【０００４】
特開２００７−１９２４８０号公報（特許文献１）には、「室内機の筐体前面に設けられる吸込口と、筐体下部に設けられる吹出口と、筐体内で吸込口と吹出口とを連結する送風経路と、送風経路内に配される送風ファンと、吸込口を塞ぐ第１の位置と吹出口の上端から延びて送風経路の上壁を延長する第２の位置との間を移動可能な可動パネルとを備え、空気調和機の駆動時に可動パネルを第２の位置に配置した。これにより、可動パネルに沿って流通する空気が減速して運動エネルギーが静圧に変換され、送風ファンによる静圧上昇を小さくして省エネルギー化を図る」技術が記載されている。
【先行技術文献】
【特許文献】
【０００５】
【特許文献１】特開２００７−１９２４８０号公報
【発明の概要】
【発明が解決しようとする課題】
【０００６】
特許文献１に記載されている技術では、美観を損ねることなく省エネルギー化を図ることができる。しかしながら、特許文献１に記載されている技術では、空気調和設備の内部が汚れなどで空気の通りが悪くなり熱交換効率が悪化した場合に、消費電力が大きくなるという問題があった。【０００７】
本発明の目的は、内部の汚れなどにより空気調和設備の消費電力が大きくなることを抑制可能な技術を提供することである。
【課題を解決するための手段】
【０００８】
本願において開示される発明のうち、代表的なものの概要を簡単に説明すれば、次の通りである。【０００９】
本発明の一実施の形態の省エネルギー部材は、第１の面と第２の面とを有するシート状の省エネルギー部材であって、前記第１の面と前記第２の面とを貫通する孔が形成される。また、第１の素材と、遠赤外線を放射する第１のセラミックスにより成型される。前記第１のセラミックスは、ＳｉＯ２と、Ｆｅ２Ｏ３と、Ａｌ２Ｏ３と、ＭｇＯと、ＣａＯと、を含有する。【００１０】
また、本発明の一実施の形態の省エネルギー方法は、第１の面と第２の面とを有するシート状の省エネルギー部材を用いた省エネルギー方法であって、前記省エネルギー部材は、前記第１の面と前記第２の面とを貫通する孔が形成され、第１の素材と、遠赤外線を放射する第１のセラミックスにより成型された前記省エネルギー部材が空気調和設備の吸気口の外部側に取り付けられる。前記第１のセラミックスは、ＳｉＯ２と、Ｆｅ２Ｏ３と、Ａｌ２Ｏ３と、ＭｇＯと、ＣａＯと、を含有する。
【発明の効果】
【００１１】
本願において開示される発明のうち、代表的なものによって得られる効果を簡単に説明すれば以下のとおりである。【００１２】
本発明の代表的な実施の形態によれば、内部の汚れなどにより空気調和設備の消費電力が大きくなることを抑制できる。
【図面の簡単な説明】
【００１３】
【図１】本発明の一実施の形態における省エネルギー部材の外観を示す斜視図である。
【図２】本発明の一実施の形態における省エネルギー部材の平面図である。
【図３】本発明の一実施の形態における省エネルギー部材の底面図である。
【図４】本発明の一実施の形態における省エネルギー部材が空気調和設備に取り付けられる際の作業について説明する図である。
【図５】本発明の他の実施の形態における省エネルギー部材の平面図である。
【図６】本発明の他の実施の形態における省エネルギー部材の平面図である。
【図７】本発明の他の実施の形態における省エネルギー部材の平面図である。
【図８】本発明の他の実施の形態における省エネルギー部材の平面図である。
【図９】本発明の他の実施の形態における省エネルギー部材の平面図である。
【発明を実施するための形態】
【００１４】
以下、本発明の実施の形態を図面に基づいて詳細に説明する。なお、実施の形態を説明するための全図において、同一部には原則として同一の符号を付し、その繰り返しの説明は省略する。
【００１５】
図１は、本発明の一実施の形態における省エネルギー部材１００の外観を示す斜視図である。図２は、本発明の一実施の形態における省エネルギー部材１００の平面図である。図３は、本発明の一実施の形態における省エネルギー部材１００の底面図である。
【００１６】
図１〜図３に示されるように、省エネルギー部材１００は、シート状である。また、省エネルギー部材１００は、四角形状（長方形状）であり、第１の面１１０と、第２の面１３０とを有する。また、省エネルギー部材１００の四隅は円弧形状である。なお、省エネルギー部材１００は、正方形状であっても良い。
【００１７】
また、省エネルギー部材１００には、第１の面１１０と第２の面１３０とを貫通する円形状の孔１２０が格子状に複数形成される。各孔１２０は、左右方向に互いに平行に形成される。また、各孔１２０は、上下方向に互いに平行に形成される。左右方向に隣接する孔１２０の間の距離は、２ｍｍ〜５ｍｍである。また、上下方向に離接する孔１２０の間の距離は、２ｍｍ〜５ｍｍである。そして、４つの孔１２０（互いに左右方向に隣接する２つの孔１２０と、その２つの孔１２０の下方または上方に隣接する２つの孔１２０）に囲われる領域には、面部１４０が形成される。このように面部１４０が形成されることで、省エネルギー部材１００の強度を高めることができる。また、省エネルギー部材１００全体の大きさに対するセラミックの含有量を増加でき、省エネルギー部材１００を小型化しても、空気調和設備２００の省エネルギー化を図れる。
【００１８】
また、省エネルギー部材１００全体の面積に対する孔１２０の面積（孔１２０の合計の面積）が占める割合は、６０％〜８０％である。
【００１９】
省エネルギー部材１００には、複数の孔１２０が、列状に並べられて形成される。また、複数の孔１２０の列は、省エネルギー部材１００に互いに平行に並べられて形成される。これによって、図１〜図５に示される例では、省エネルギー部材１００に４列×９行の孔１２０が形成される。
【００２０】
省エネルギー部材１００の長手方向の長さは、３７ｃｍ〜４０ｃｍであり、短手方向の長さは、１７ｃｍ〜２０ｃｍであり、厚みは、１ｍｍ〜５ｍｍである。そして、省エネルギー部材１００の全体に対する孔１２０が占める面積は、４５％〜５５％であり、省エネルギー部材１００の全体に対する孔１２０が形成されていない部分が占める面積は４５％〜５５％である。なお、省エネルギー部材１００の長手方向の長さを、１０ｃｍ〜１００ｃｍとし、短手方向の長さを、５ｃｍ〜１０ｃｍとしても良い。また、省エネルギー部材１００の厚みを、１ｍｍ〜２０ｍｍとしても良い。
【００２１】
省エネルギー部材１００は、第１の素材（弾性体（ポリエチレンや樹脂など）またはプラスチック）と、セラミックス（消臭抗菌作用を有するトリウム系の微量放射性レアーアース鉱物の粉体と常温で遠赤外線を放射するジルコニウム、ジルコニア、アルミナ、シリカなどのセラミックスを混合−粉砕−焼結を繰り返して出来たイオン・遠赤外線発生セラミックス）とにより成型される。すなわち、省エネルギー部材１００は、第１の素材にセラミックスが混入されることで成型され、遠赤外線を照射する。また、省エネルギー部材１００は、曲げ・たわめることができる。なお、上述したように、省エネルギー部材１００の全体に対する孔１２０が占める部分以外の面積を４５％以上とすることで、単位面積あたりのセラミックスの含有量が増加する。また、省エネルギー部材１００の全体に対する孔１２０が形成されている面積を５５％以下とすることで、空気調和設備２００の吸気口から吸気される空気の量を確保しつつ、省エネルギー部材１００全体の大きさに対する単位面積あたりのセラミックスの含有量が増加できる。これによって、省エネルギー部材１００の強度を維持でき、取り付けた際の破損を防止しやすくできる。また、省エネルギー部材１００の面積を小さくしても、空気調和設備２００の省エネルギー化を図れる。また、省エネルギー部材１００の面積を小さくすることで、省エネルギー部材１００の取り付けが容易になるとともに、様々な形状の空気調和設備２００にも取り付けできる。
【００２２】
第１の素材として、ＡＢＳ樹脂（ＡＢＳ）、高密度ポリエチレン（ＨＤＰＥ）、低密度ポリエチレン（ＬＤＰＥ）、ポリアミド（ＰＡ）、ポリカーボネート（ＰＣ）、ポリエチレンテレフタレート（ＰＥＴ）、アクリル樹脂（ＰＭＭＡ）、ポリプロピレン（ＰＰ）、ポリスチレン（ＰＳ）、塩化ビニル（ＰＶＣ）およびＡＳ樹脂（ＳＡＮ）等を用いることができる。
【００２３】
なお、第１の素材にセラミックスを混入することに替えて、省エネルギー部材１００を弾性体（ポリエチレンや樹脂など）により成型し、第１の面１１０の表面のみをセラミックスによりコーティングするようにしても良い。また、省エネルギー部材１００を弾性体（ポリエチレンや樹脂など）により成型し、第１の面１１０の表面にのみセラミックスを所定の割合（１０％〜９０％）含有させるようにしても良い。
【００２４】
図４は、本発明の一実施の形態における省エネルギー部材１００が空気調和設備２００に取り付けられる際の作業について説明する図である。なお、図４は説明の便宜のため模式的に図示されている。
【００２５】
図４に示されるように、省エネルギー部材１００は、空気調和設備２００の外部側に取り付けられる。図４に示される天井埋め込み式の空気調和設備２００の場合、省エネルギー部材１００は、吸気口カバー２２０が外された後に、吸気口カバー２２０に載置され、その後、吸気口カバーが閉められる。これによって、省エネルギー部材１００は、吸気口カバー２２０と吸気口２１０とに挟み込まれた状態で、空気調和設備２００に取り付けられる。ここで、外部側とは、空気調和設備２００の内部とは逆方向の方面を意味する。
【００２６】
省エネルギー部材１００は、省エネルギー部材１００の第２の面１３０と、空気調和設備２００の吸気口２１０とが対向した状態で空気調和設備２００に取り付けられる。
【００２７】
吸気口カバー２２０を介して吸い込まれる空気は、省エネルギー部材１００の孔１２０を通過した後に、吸気口２１０へと吸気される。その後、空気調和設備２００の内部の熱交換器にて熱交換された後に吹出口２３０から吹き出される。
【００２８】
空気には、例えば水分子などの各種の分子が含まれる。省エネルギー部材１００の孔１２０を通過する分子には、省エネルギー部材１００により遠赤外線が照射される。省エネルギー部材１００中のセラミックスから照射される遠赤外線は、分子の振動を活発にする。すなわち、省エネルギー部材１００の孔１２０を通過する分子に省エネルギー部材１００により遠赤外線が照射されることにより、分子の振動が活発になり、分子が熱交換されやすくなる。これは、空気に含まれる分子が水（Ｈ２Ｏ）分子である場合、例えば、酸素（Ｏ）原子と水素（Ｈ）原子との間の結合距離が短くなって、水分子の体積が小さくなるためと考えられる。
【００２９】
図４に示される例では、空気調和設備２００の吸気口２１０から吸い込まれる空気の分子には、省エネルギー部材１００により遠赤外線が照射される。吸気口２１０の面積は、冷気または暖気を吹き出す吹出口２３０の面積の５倍〜１０倍である。そのため、空気調和設備２００の外部から吸気口２１０へと移動する空気の速度は、吹出口２３０から吹き出される空気の速度の１／５倍〜１／１０倍である。そして、空気調和設備２００の外部から吸気口２１０に吸気されるまでの間、空気に含まれる分子には、省エネルギー部材１００により遠赤外線が照射される。
【００３０】
遠赤外線が照射された分子は、前述したように、熱交換されやすくなるので、空気調和設備２００の内部が汚れなどで空気の通りが悪くなっている環境であっても、効率的に空気調和設備２００の内部の熱交換器にて効率的に熱交換される。これによって、空気調和設備２００の熱交換効率が改善され、空気調和設備２００の省エネルギー化を図れる。
【００３１】
なお、吸気口２１０の面積が省エネルギー部材１００の面積の２倍以上であることがある。この場合、複数の省エネルギー部材１００が、長手方向の辺が互いに隣り合うように並べて吸気口２１０に取り付けられる。これによって、吸気口２１０の面積が省エネルギー部材１００の面積の２倍以上である場合も、空気調和設備２００の内部に吸い込まれる空気の分子は、より効率的に空気調和設備２００の内部の熱交換器にて熱交換でき、空気調和設備２００の省エネルギー化を図れる。なお、吸気口２１０の形状に応じて、複数の省エネルギー部材１００が、短手方向の辺が互いに隣り合うように並べて吸気口２１０に取り付けられるようにしても良い。
【００３２】
これまでに、天井埋め込み式空気調和設備２００の設定温度を１０．０度とした状態にて、省エネルギー部材１００の効果を確認した例では、省エネルギー部材１００が取り付けられる前では、吹出口２３０から吹き出される空気の温度が６．０度だったのに対し、省エネルギー部材１００が取り付けられた後では、吹出口２３０から吹き出される空気の温度が３．３度へと改善された。このことから、天井埋め込み式の空気調和設備２００に、省エネルギー部材１００が取り付けられることによって熱交換効率が改善（省エネルギー率としては約２６％の改善）できることが分かっている。
【００３３】
上記は、空気調和設備２００が天井埋め込み式である場合について説明したが、他にも空気調和設備２００が壁掛け式である場合もある。その場合、省エネルギー部材１００は、空気調和設備２００のフィルターと吸気口とに挟み込まれた状態で、空気調和設備２００に取り付けられる。
【００３４】
また、空気調和設備２００が床置き式である場合には、省エネルギー部材１００は、床置き式の空気調和設備２００の下部の吸気口に載置される。
【００３５】
また、空気調和設備２００が生鮮食品売り場の商品の陳列棚用のものである場合には、省エネルギー部材１００は、第１の面１１０側から粘着テープが貼付されることで吸気口２１０に固定される。例えば、作業者が、第１の面１１０側から粘着テープを貼付することで省エネルギー部材１００を吸気口２１０に固定する。
【００３６】
なお、第２の面１３０の表面を粘着性のある部材でコーディングしても良い。また、第２の面１３０の表面側に粘着シートが設けられるようにしても良い。これによって、テープを貼付することなく、省エネルギー部材１００を空気調和設備２００の吸気口に固定できる。
【００３７】
また、図５に示されるように、省エネルギー部材１００に形成される孔１２１を三角形状にしても良い。この場合、各孔１２１は、長手方向に隣接する三角形状が互い逆向き（１８０°異なる）になるように配置される。
【００３８】
また、図６に示されるように、省エネルギー部材１００に形成される孔１２２を四角形状にしても良い。この場合、各孔１２２は、格子状に並べて省エネルギー部材１００に形成される。
【００３９】
また、図７に示されるように、省エネルギー部材１００に形成される孔１２３を五角形状にしても良い。この場合、各孔１２３は、長手方向に隣接する五角形状が互い逆向き（１８０°異なる）になるように配置される。
【００４０】
また、図８に示されるように、省エネルギー部材１００に形成される孔１２４を六角形状にしても良い。この場合、各孔１２４は、格子状に並べて省エネルギー部材１００に形成される。
【００４１】
また、図９に示されるように、省エネルギー部材１００に形成される孔１２５を八角形状にしても良い。この場合、各孔１２５は、格子状に並べて省エネルギー部材１００に形成される。
【００４２】
次に、省エネルギー部材１００に含まれるセラミックスの好ましい態様について説明する。
【００４３】
省エネルギー部材１００は、上記した第１の素材と、遠赤外線を放射する第１のセラミックスにより成型されることが好ましく、第１のセラミックスは、酸化ケイ素（ＳｉＯ２）と、酸化鉄（Ｆｅ２Ｏ３）と、酸化アルミニウム（Ａｌ２Ｏ３）と、酸化マグネシウム（ＭｇＯ）と、酸化カルシウム（ＣａＯ）と、を含有することが好ましい。このような場合、第１のセラミックスが常温で遠赤外線を放射する放射率を、大きくすることができ、遠赤外線により、孔１２０を通過する空気の分子が、熱交換されやすくなる。
【００４４】
ここで、第１のセラミックスとして、第１のセラミック粉末を用いることができる。第１のセラミック粉末として、各種の組成を有するセラミック粉末を用いることができるが、第１のセラミック粉末の組成の一例を、表１に示す。
【００４５】
【表１】
2018105130.tif 000003
【００４６】
表１に示す例では、第１のセラミック粉末は、４３．８１重量％の含有量のＳｉＯ２と、８．２３重量％の含有量のＦｅ２Ｏ３と、０．９５重量％の含有量のＡｌ２Ｏ３と、４２．９９重量％の含有量のＭｇＯと、１．０６重量％の含有量のＣａＯと、を含有する。なお、表１中、強熱減量とは、第１のセラミックス中に含まれる揮発性物質、例えば有機物の質量を意味し、通常、イグニッションロス（Ｉｇ．ｌｏｓｓ）とも称される。
【００４７】
また、第１のセラミック粉末の組成が、表１に示す各成分の含有量を中心として、±３％の範囲にある場合も、表１に示した第１のセラミックス粉末と同様に、第１のセラミックスが常温で遠赤外線を放射する放射率を、大きくすることができ、遠赤外線により、空気の分子が、熱交換されやすくなる。このような場合、第１のセラミック粉末は、４２重量％〜４５重量％の含有量のＳｉＯ２と、８．０重量％〜８．５重量％の含有量のＦｅ２Ｏ３と、０．９２重量％〜０．９８重量％の含有量のＡｌ２Ｏ３と、４２重量％〜４４重量％の含有量のＭｇＯと、１．０重量％〜１．１重量％の含有量のＣａＯと、を含有する。
【００４８】
表１に示す第１のセラミック粉末の粒度分布の一例を、表２に示す。なお、表２に示す粒度分布は、例えば○○○社製の△△△装置を用いて測定することができる。
【００４９】
【表２】
2018105130.tif 000004
【００５０】
表２に示すように、表１に示す第１のセラミック粉末では、６５ｍｅｓｈの篩を通過しない粒子の含有量が、０．０重量％であり、６５ｍｅｓｈの篩を通過するが、１００ｍｅｓｈの篩を通過しない粒子の含有量が、０．３重量％であり、１００ｍｅｓｈの篩を通過するが、１５０ｍｅｓｈの篩を通過しない粒子の含有量が、５．２重量％である。また、１５０ｍｅｓｈの篩を通過するが、２００ｍｅｓｈの篩を通過しない粒子の含有量が、７．６重量％であり、２００ｍｅｓｈの篩を通過するが、２７０ｍｅｓｈの篩を通過しない粒子の含有量が、１３．８重量％であり、２７０ｍｅｓｈの篩を通過する粒子の含有量が、７３．１重量％である。なお、ｍｅｓｈは、ＪＩＳ規格による。
【００５１】
表２に示すように、２７０ｍｅｓｈの篩を通過する粒子の含有量が、７３．１重量％であることから、第１のセラミック粉末の平均粒径は小さい。そのため、第１のセラミック粉末の単位体積当たりの表面積が大きくなるので、第１のセラミックスが常温で遠赤外線を放射する放射率を、大きくすることができ、遠赤外線により、空気の分子が、熱交換されやすくなる。
【００５２】
なお、省エネルギー部材１００が、第１の素材と、第１のセラミックスにより成型される場合、第１の素材の含有量を、○○重量％〜○○重量％とし、第１のセラミックスの含有量を、△△重量％〜△△重量％とすることが好ましい。このような場合、省エネルギー部材１００を、曲げ・たわめることができ、且つ、第１のセラミックスが常温で遠赤外線を放射する放射率を、大きくすることができ、遠赤外線により空気の分子が熱交換されやすくなる。
【００５３】
また、第１のセラミックスは、酸化チタン（ＴｉＯ２）、酸化コバルト（ＣｏＯ３）及び酸化カリウム（Ｋ２Ｏ）のいずれも含有しないことが好ましい。第１のセラミックスがＴｉＯ２、ＣｏＯ３及びＫ２Ｏのいずれも含有しない場合、第１のセラミックスが常温で遠赤外線を放射する放射率を、更に大きくすることができ、遠赤外線により空気の分子が熱交換されやすくなる。
【００５４】
また、省エネルギー部材１００は、上記した第１の素材と、上記した第１のセラミックスと、第２のセラミックスにより成型されることがより好ましく、第２のセラミックスは、エルバイトトルマリン（Ｅｌｂａｉｔｅ  Ｔｏｕｒｍａｌｉｎｅ）、すなわちエルバイトを含有することがより好ましい。このような場合、エルバイトが焦電性及び圧電性を有するので、第２のセラミックスが静電気を帯び、微量のマイナスイオンを発生させることができ、マイナスイオンにより、孔１２０を通過する空気を容易に熱交換することができる。
【００５５】
エルバイトは、下記一般式（化１）で表される。また、エルバイトに含まれる各元素の重量％及びモル％を、表３に示す。
Ｎａ（Ｌｉ，Ａｌ）３Ａｌ６（ＢＯ３）３Ｓｉ６Ｏ１８（ＯＨ）４・・・（化１）
【００５６】
【表３】
2018105130.tif 000005
【００５７】
なお、上記一般式（化１）は、下記一般式（化２）において、ｘが０≦ｘ≦１であることを意味する。
Ｎａ（Ｌｉ１−ｘＡｌｘ）３Ａｌ６（ＢＯ３）３Ｓｉ６Ｏ１８（ＯＨ）４・・・（化２）
【００５８】
省エネルギー部材１００が、第１の素材と、第１のセラミックスと、第２のセラミックスにより成型されている場合、第１のセラミックスの重量％の含有量に対する、第２のセラミックスの重量％の含有量の比が、１／１４、すなわち０．０７１であることが好ましい。これにより、第１のセラミックスが常温で遠赤外線を放射する放射率を高くし、且つ、第２のセラミックスが微量のマイナスイオンを発生させることができ、遠赤外線及びマイナスイオンにより、空気を容易に熱交換することができる。
【００５９】
また、第１のセラミックスの重量％の含有量に対する、第２のセラミックスの重量％の含有量の比が、１／１４、すなわち０．０７１のみならず、０．０７１を中心として、±３％の範囲にある場合も、遠赤外線及びマイナスイオンにより空気を容易に熱交換することができる。このような場合、第１のセラミックスの重量％の含有量に対する、第２のセラミックスの重量％の含有量の比は、０．０６９〜０．０７４である。
【００６０】
なお、第１のセラミックスと同様に、第２のセラミックスとして、第２のセラミック粉末を用いることができる。また、第２のセラミックスは、エルバイト、すなわちエルバイトトルマリンに代え、下記一般式（化３）で表されるショールトルマリンであってもよく、下記一般式（化４）で表されるドラバイトトルマリンであっても良い。更に、第２のセラミックスは、下記一般式（化５）で表されるトルマリン全般であっても良い。
ＮａＦｅ３Ａｌ６（ＢＯ３）３Ｓｉ６Ｏ１８（ＯＨ）４・・・（化３）
ＮａＭｇ３Ａｌ６（ＢＯ３）３Ｓｉ６Ｏ１８（ＯＨ）４・・・（化４）
（Ｎａ，Ｃａ，Ｋ）（Ａｌ，Ｆｅ，Ｌｉ，Ｍｇ，Ｍｎ）３（Ａｌ，Ｃｒ，Ｆｅ，Ｖ）６（ＢＯ３）３Ｓｉ６Ｏ１８（ＯＨ）４・・・（化５）
【００６１】
また、省エネルギー部材１００が、第１の素材と、第１のセラミックスと、第２のセラミックスにより成型される場合、第１の素材の含有量を、○○重量％〜○○重量％とし、第１のセラミックスの含有量を、△△重量％〜△△重量％とし、第２のセラミックスの含有量を、□□重量％〜□□重量％とすることが好ましい。このような場合、省エネルギー部材１００を、曲げ・たわめることができ、且つ、遠赤外線及びマイナスイオンにより、空気を容易に熱交換することができる。
【００６２】
なお、省エネルギー部材１００が、第１のセラミックスを含まず、第１の素材と、第２のセラミックスにより成型されても良い。このような場合、省エネルギー部材１００を、曲げ・たわめることができ、且つ、第２のセラミックスが発生するマイナスイオンにより、空気を容易に熱交換することができる。
【００６３】
＜本実施の形態の効果＞
以上説明した本実施の形態における省エネルギー部材１００によれば、シート状の省エネルギー部材１００が、第１の素材と、遠赤外線を放射するセラミックスにより成型されることで、空気調和設備２００の内部に吸気される空気が熱交換されやすくなり、内部が汚れなどで空気の通りが悪くなることによって、空気調和設備２００の消費電力が大きくなることを抑制できる。
【００６４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６５】
また、上記した実施の形態は本発明を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００６６】
１００…省エネルギー部材、１１０…第１の面、１２０…孔、１３０…第２の面。
【図１】
2018105130.tif 000006
【図２】
2018105130.tif 000007
【図３】
2018105130.tif 000008
【図４】
2018105130.tif 000009
【図５】
2018105130.tif 000010
【図６】
2018105130.tif 000011
【図７】
2018105130.tif 000012
【図８】
2018105130.tif 000013
【図９】
2018105130.tif 000014
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
第１の面と第２の面とを有するシート状の省エネルギー部材であって、
前記第１の面と前記第２の面とを貫通する孔が形成され、
第１の素材と、遠赤外線を放射する第１のセラミックスにより成型され、
前記第１のセラミックスは、ＳｉＯ２と、Ｆｅ２Ｏ３と、Ａｌ２Ｏ３と、ＭｇＯと、ＣａＯと、ジルコニウムと、を含有する、
省エネルギー部材。
【請求項２】
請求項１に記載の省エネルギー部材において、
前記第１のセラミックスは、
４２重量％〜４５重量％の含有量のＳｉＯ２と、
８．０重量％〜８．５重量％の含有量のＦｅ２Ｏ３と、
０．９２重量％〜０．９８重量％の含有量のＡｌ２Ｏ３と、
４２重量％〜４４重量％の含有量のＭｇＯと、
１．０重量％〜１．１重量％の含有量のＣａＯと、を含有する、
省エネルギー部材。
【請求項３】
請求項１に記載の省エネルギー部材において、
前記第１の素材と、前記第１のセラミックスと、第２のセラミックスにより成型され、
前記第２のセラミックスは、エルバイトトルマリンを含有する、省エネルギー部材。
【請求項４】
請求項３に記載の省エネルギー部材において、
前記第２のセラミックスは、下記一般式（化１）で表されるエルバイトトルマリンを含有する、省エネルギー部材。
Ｎａ（Ｌｉ，Ａｌ）３Ａｌ６（ＢＯ３）３Ｓｉ６Ｏ１８（ＯＨ）４・・・（化１）
【請求項５】
請求項３に記載の省エネルギー部材において、
前記第１のセラミックスの重量％の含有量に対する、前記第２のセラミックスの重量％の含有量の比が、０．０６９〜０．０７４である、省エネルギー部材。
【請求項６】
第１の面と第２の面とを有するシート状の省エネルギー部材を用いた省エネルギー方法であって、
前記省エネルギー部材は、
前記第１の面と前記第２の面とを貫通する孔が形成され、
第１の素材と、遠赤外線を放射する第１のセラミックスにより成型され、
空気調和設備の吸気口の外部側に取り付けられ、
前記第１のセラミックスは、ＳｉＯ２と、Ｆｅ２Ｏ３と、Ａｌ２Ｏ３と、ＭｇＯと、ＣａＯと、ジルコニウムと、を含有する、
省エネルギー方法。
【請求項７】
請求項６に記載の省エネルギー方法において、
前記第１のセラミックスは、
４２重量％〜４５重量％の含有量のＳｉＯ２と、
８．０重量％〜８．５重量％の含有量のＦｅ２Ｏ３と、
０．９２重量％〜０．９８重量％の含有量のＡｌ２Ｏ３と、
４２重量％〜４４重量％の含有量のＭｇＯと、
１．０重量％〜１．１重量％の含有量のＣａＯと、を含有する、
省エネルギー方法。
【請求項８】
請求項６に記載の省エネルギー方法において、
前記第１の素材と、前記第１のセラミックスと、第２のセラミックスにより成型され、
前記第２のセラミックスは、エルバイトトルマリンを含有する、省エネルギー方法。
【請求項９】
請求項８に記載の省エネルギー方法において、
前記第２のセラミックスは、下記一般式（化１）で表されるエルバイトトルマリンを含有する、省エネルギー方法。
Ｎａ（Ｌｉ，Ａｌ）３Ａｌ６（ＢＯ３）３Ｓｉ６Ｏ１８（ＯＨ）４・・・（化１）
【請求項１０】
請求項８に記載の省エネルギー方法において、
前記第１のセラミックスの重量％の含有量に対する、前記第２のセラミックスの重量％の含有量の比が、０．０６９〜０．０７４である、省エネルギー方法。
【請求項１１】
請求項６に記載の省エネルギー方法において、
前記省エネルギー部材が空気調和設備の吸気口カバーと吸気口との間に取り付けられる、
省エネルギー方法。
【請求項１２】
請求項６に記載の省エネルギー方法において、
前記省エネルギー部材が空気調和設備のフィルターと吸気口との間に取り付けられる、省エネルギー方法。
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
第１の面と第２の面とを有するシート状の省エネルギー部材であって、
前記第１の面と前記第２の面とを貫通する孔が格子状に複数形成され、
第１の素材と、遠赤外線を放射する第１のセラミックスにより成型され、
前記第１のセラミックスは、ＳｉＯ２と、Ｆｅ２Ｏ３と、Ａｌ２Ｏ３と、ＭｇＯと、ＣａＯと、ジルコニウムと、を含有し、
互いに左右方向に隣接する２つの孔と、これら２つの孔の下方又は上方に隣接する２つの孔に囲まれる領域には、面部が形成され、
前記省エネルギー部材の全体に対する孔が占める面積は、４５％〜５５％であり、
空気調和設備の吸気口の外部側に取り付け可能である、省エネルギー部材。
【請求項２】
請求項１に記載の省エネルギー部材において、
前記第１のセラミックスは、
４２重量％〜４５重量％の含有量のＳｉＯ２と、
８．０重量％〜８．５重量％の含有量のＦｅ２Ｏ３と、
０．９２重量％〜０．９８重量％の含有量のＡｌ２Ｏ３と、
４２重量％〜４４重量％の含有量のＭｇＯと、
１．０重量％〜１．１重量％の含有量のＣａＯと、を含有する、
省エネルギー部材。
【請求項３】
請求項１に記載の省エネルギー部材において、
前記第１の素材と、前記第１のセラミックスと、第２のセラミックスにより成型され、
前記第２のセラミックスは、エルバイトトルマリンを含有する、省エネルギー部材。
【請求項４】
請求項３に記載の省エネルギー部材において、
前記第２のセラミックスは、下記一般式（化１）で表されるエルバイトトルマリンを含有する、省エネルギー部材。
Ｎａ（Ｌｉ，Ａｌ）３Ａｌ６（ＢＯ３）３Ｓｉ６Ｏ１８（ＯＨ）４・・・（化１）
【請求項５】
請求項３に記載の省エネルギー部材において、
前記第１のセラミックスの重量％の含有量に対する、前記第２のセラミックスの重量％の含有量の比が、０．０６９〜０．０７４である、省エネルギー部材。
【請求項６】
第１の面と第２の面とを有するシート状の省エネルギー部材を用いた省エネルギー方法であって、
前記省エネルギー部材を空気調和設備の吸気口の外部側に取り付ける工程を含み、
前記省エネルギー部材は、
前記第１の面と前記第２の面とを貫通する孔が格子状に複数形成され、
第１の素材と、遠赤外線を放射する第１のセラミックスにより成型され、
前記第１のセラミックスは、ＳｉＯ２と、Ｆｅ２Ｏ３と、Ａｌ２Ｏ３と、ＭｇＯと、ＣａＯと、ジルコニウムと、を含有し、
互いに左右方向に隣接する２つの孔と、これら２つの孔の下方又は上方に隣接する２つの孔に囲まれる領域には、面部が形成され、
前記省エネルギー部材の全体に対する孔が占める面積は、４５％〜５５％である、
省エネルギー方法。
【請求項７】
請求項６に記載の省エネルギー方法において、
前記第１のセラミックスは、
４２重量％〜４５重量％の含有量のＳｉＯ２と、
８．０重量％〜８．５重量％の含有量のＦｅ２Ｏ３と、
０．９２重量％〜０．９８重量％の含有量のＡｌ２Ｏ３と、
４２重量％〜４４重量％の含有量のＭｇＯと、
１．０重量％〜１．１重量％の含有量のＣａＯと、を含有する、
省エネルギー方法。
【請求項８】
請求項６に記載の省エネルギー方法において、
前記第１の素材と、前記第１のセラミックスと、第２のセラミックスにより成型され、
前記第２のセラミックスは、エルバイトトルマリンを含有する、省エネルギー方法。
【請求項９】
請求項８に記載の省エネルギー方法において、
前記第２のセラミックスは、下記一般式（化１）で表されるエルバイトトルマリンを含有する、省エネルギー方法。
Ｎａ（Ｌｉ，Ａｌ）３Ａｌ６（ＢＯ３）３Ｓｉ６Ｏ１８（ＯＨ）４・・・（化１）
【請求項１０】
請求項８に記載の省エネルギー方法において、
前記第１のセラミックスの重量％の含有量に対する、前記第２のセラミックスの重量％の含有量の比が、０．０６９〜０．０７４である、省エネルギー方法。
【請求項１１】
請求項６に記載の省エネルギー方法において、
前記省エネルギー部材を空気調和設備の吸気口の外部側に取り付ける工程は、前記省エネルギー部材を空気調和設備の吸気口カバーと吸気口との間に取り付ける工程を含む、
省エネルギー方法。
【請求項１２】
請求項６に記載の省エネルギー方法において、
前記省エネルギー部材を空気調和設備の吸気口の外部側に取り付ける工程は、前記省エネルギー部材を空気調和設備のフィルターと吸気口との間に取り付ける工程を含む、省エネルギー方法。
【国際調査報告】
2018105130.tif 000015
2018105130.tif 000016